(57)【要約】【課題】  環形ランプ用ソケットを器具本体にワンタッチかつ小さな操作力で取付けることができ、ねじ止めなどの作業や部品追加を必要としない照明器具を提供する。【解決手段】ソケット取付孔４を形成したソケット取付面５を有する器具本体１と、当接面９を有し、ランプピン挿着部１３を有し、立上り１０と係止片１１とで形成されたかぎ形であって、ソケット取付孔４に挿入するとともに当接面９をソケット取付面５に沿って移動することにより、係止片１１が器具本体１に係合する取付部１２を有するランプソケット２と、挿通部１５を有して器具本体１の前面側に取付けられた器具カバー３とを備え、係止片１１が器具本体１に係止した状態で挿通部１５の縁部に係合して係止片１１をソケット取付孔４から抜け止めする固定部２４をランプソケット２に設けている。【選択図】        図１
2005243544.tif 000002
【特許請求の範囲】
【請求項１】
ソケット取付孔を形成したソケット取付面を有する器具本体と、
前記器具本体の前記ソケット取付面に当接する当接面を有し、前記当接面と反対側にランプピン挿着部を有し、前記当接面より立ち上がる立上りと前記立上りより前記当接面に平行でかつ前記器具本体の中心方向に延出する係止片とで形成されたかぎ形であって、前記ソケット取付孔に挿入するとともに前記当接面を前記ソケット取付面に沿って移動することにより、前記係止片が前記器具本体の前記ソケット取付面と反対側に係合する取付部を有するランプソケットと、
前記ランプソケットの前記ランプピン挿着部側を露出する挿通部を有し前記器具本体の前記前面側に取付けられた器具部材とを備え、
前記係止片が前記器具本体に係止した状態で前記挿通部の縁部に係合して前記係止片を前記ソケット取付孔から抜け止めする固定部を前記ランプソケットに設けた照明器具。
【請求項２】
前記ソケット取付孔および前記取付部が一対有し、前記ソケット取付孔間に前記ランプピン挿着部の中心軸が位置する請求項１記載の照明器具。
【請求項３】
前記一対の取付部が前記器具本体の中心に向く方向に並び、外側となる前記取付部の前記係止片が前記ランプピン挿着部の中心軸上にある請求項２記載の照明器具。
【請求項４】
前記器具部材は略皿形の器具カバーであり、前記挿通部は前記器具カバーの周縁部に形成され、前記固定部は前記挿通部付近の傾斜に対応した傾斜面を有する請求項１、請求項２または請求項３記載の照明器具。
【発明の詳細な説明】
【技術分野】
【０００１】
本発明は、主として環形ランプ用ソケットを備えた照明器具に関するものである。
【背景技術】
【０００２】
従来のこの種の照明器具は、環形蛍光ランプ用ソケットを器具本体にねじ止めするものや、弾性の係止爪を器具本体の取付孔に弾性係止するとともに環形ランプ用ソケットを器具本体と器具カバーで挟み込むもの（例えば特許文献１参照）などがあった。
【０００３】
前者はねじ・ナットの追加のためコストアップとなり、作業も増加するが、後者は器具本体にねじ等が必要でなく、ワンタッチで取付けることができる。
【特許文献１】実開平５−８８９０号公報
【発明の開示】
【発明が解決しようとする課題】
【０００４】
しかし、後者は、十分な取付強度を確保するために、係止爪を太くするなど係止爪の弾力を強くする必要があり、そのため係止爪を係止孔に弾力に抗して挿入する挿入力を強くする必要があり、組立性が良好でなくなる。
【０００５】
したがって、この発明の目的は、環形ランプ用ソケットを器具本体にワンタッチかつ小さな操作力で取付けることができ、ねじ止めなどの作業や部品追加を必要としない照明器具を提供することにある。
【課題を解決するための手段】
【０００６】
この発明の照明器具は、器具本体がソケット取付孔を形成したソケット取付面を有する。ランプソケットは前記器具本体の前記ソケット取付面に当接する当接面を有し、前記当接面と反対側にランプピン挿着部を有する。さらに前記当接面より立ち上がる立上りと前記立上りより前記当接面に平行でかつ前記器具本体の中心方向に延出する係止片とで形成されたかぎ形であって、前記ソケット取付孔に挿入するとともに前記当接面を前記ソケット取付面に沿って移動することにより、前記係止片が前記器具本体の前記ソケット取付面と反対側に係合する取付部を有する。器具カバー等の器具部材は前記ランプソケットの前記ランプピン挿着部側を露出する挿通部を有し前記器具本体の前記前面側に取付けられる。そして前記係止片が前記器具本体に係止した状態で前記挿通部の縁部に係合して前記係止片を前記ソケット取付孔から抜け止めする固定部をランプソケットに設けている。
【０００７】
上記構成において、前記ソケット取付孔および前記取付部が一対有し、前記ソケット取付孔間に前記ランプピン挿着部の中心軸が位置する。
【０００８】
上記構成において、前記一対の取付部が前記器具本体の中心に向く方向に並び、外側となる前記取付部の前記係止片が前記ランプピン挿着部の中心軸上にある。
【０００９】
上記構成において、前記器具部材は略皿形の器具カバーであり、前記挿通部は前記器具カバーの周縁部に形成され、前記固定部は前記挿通部付近の傾斜に対応した傾斜面を有する。
【発明の効果】
【００１０】
この発明の照明器具によれば、係止片をソケット取付孔に挿入しランプソケットを器具本体に沿ってスライドして係止片を器具本体に係合し、かつ器具カバー等を器具本体に取付けることにより、ランプソケットをワンタッチかつ小さな操作力で取付けることができ、しかもねじ止めなどの作業や部品追加を必要としない。また、係止片と固定部でランプソケットを保持するため、ランプ取り外し時の力が取付部と固定部に分散される。さらに、係止片が器具本体の中心に向いているため、ランプ抜去時にランプソケットの係止片にかかる荷重を、器具本体のより強度が大きい、変形しにくい器具本体の中心側で受けることができ、このため器具本体を薄くするなどのコストダウンも可能である。また係止片が中心に向くことにより、ソケット取付孔を器具本体の縁部側に設けることができ、例えばソケット取付孔を器具本体の縁部からの切り欠きとしても構成できるので、器具本体を小さくすることができる。さらにランプソケットの当接面と係止片とで器具本体を挟持するため、器具本体の板厚方向となるソケット押し込み方向の力を受ける補強リブ等が不要で、器具本体の形状も例えば単純な平面で構成できることから、複雑化すると取付けの不安定性が生じやすいのに対して、ランプソケットの取付けの安定化が図れる。
【００１１】
一対の取付部間にランプピン挿着部の中心軸が位置すると、取付部が１個のみや中心軸が一対の取付部間にない場合と比較して、ランプ着脱操作による回転力がランプソケットに加わらないので係止片を折損しにくい。
【００１２】
外側の取付部の係止片がランプピン挿着部の中心軸上にあると、器具本体の径方向において、器具本体のより内側の強度の大きい部分でランプ着脱時等の荷重を受けることができる。
【００１３】
固定部の傾斜面により、ランプソケットの抜け止め機能を果たすことができると共に、ランプ抜去時にランプソケットの取付部にかかる荷重を固定部の傾斜面に沿う方向に分散させることができるので、器具本体の板厚方向に加わる力を減らし、器具本体を薄くするなどのコストダウンも可能となる。さらに、ランプソケットの着脱方向が固定部の傾斜面に垂直な方向に向いたランプソケットにあっては、そのランプ取り外し力を固定部の傾斜面で受けることができ、固定部の角で受ける場合と比較して応力集中による器具カバー等の部分的な変形を防止する効果がある。
【発明を実施するための最良の形態】
【００１４】
この発明の第１の実施の形態を図１から図８により説明する。すなわち、この照明器具は、環形ランプ用であり、器具本体１と、ランプソケット２と、器具カバー３等の器具部材とを有する。
【００１５】
器具本体１は、ソケット取付孔４を形成したソケット取付面５を有する。実施の形態では、例えば円板形に形成され、周縁部にランプカバー３０、グローブ等の配光制御部材を取付ける取付部８を設けている。器具本体１の下面には点灯回路部品、例えば安定器、スイッチ、端子台等（図示せず）が取付けられる。そして周縁部近くのソケット取付部位６に一対のソケット取付孔４が器具本体１の円板中心に向かう径方向に並んで形成されている。
【００１６】
ランプソケット２は、器具本体１のソケット取付面５に当接する当接面９を有し、当接面９と反対側にランプピン挿着部１３を有する。ランプソケット2の当接面９を上面にランプピン挿着部１３を下面にそれぞれ形成している。ランプピン挿着部（受金部）１３は例えば図４に示すように４個の四角形をなすように並んだ受け孔１３ａ内にランプピンを受ける複数の受金（導電板）を内蔵している。またランプソケット２は、当接面９に取付部１２を有し、取付部１２は当接面９より立ち上がる立上り１０と、立上り１０より当接面９に平行に延びる係止片１１とで形成されたかぎ形である。取付部１２をソケット取付孔４に挿入するとともに当接面９をソケット取付面５に沿って移動することにより、係止片１１が器具本体１のソケット取付面５と反対側（裏面）に係合する。ここで係止片１１は、ランプピン挿着部１３が環形ランプ１４のランプピンを挿着する姿勢で器具本体１の中心方向、すなわち環形ランプ１４の中心方向に延出している。また取付部１２は図８（ａ）に示すように、係止片１１の延出方向の全長Ａとし、立上り１０から当接面９の外側端部までの距離Ｂとして、Ａ＜Ｂとしている。これによりソケット取付孔４が取付部１２の係止状態で当接面９によって塞がれる。
【００１７】
実施の形態のランプソケットは、図４および図５に示すように、一対の半体１８、１９を組み合わせてボディを形成している。半体１８に複数の連結用突部２３を形成し、半体１９に連結用突部２３を挿通する連結孔２０を形成し、連結孔２０に挿通して半体１９の外面に突出した連結用突部２３を熱かしめ等でかしめ固定している。そして半体１８、１９の切欠３１間にランプピン挿着部１３を挟持し、半体１８、１９の切欠３２間からリード線２０を引き出している。またランプピン挿着部１３の両側にランプ支持ばね２１、２２の基端部を一対の半体１８、１９間に挟持している。また、取付部１２の係止片１１は半体１８に形成し、当接面９は半体１８、１９により形成している。この場合、取付部１２をソケット取付孔４に対応して一対形成するとともに、その間にランプピン挿着部２３の中心軸２５が位置し、かつ、器具本体１の中心よりも外側となる取付部１２の係止片１１がランプピン挿着部１３の中心軸２５上にある。中心軸２５はランプピン挿着部１３の挿着面の正方形をなすコーナ位置に配置された４つの受け孔１３ａ間の中心位置１３ｂを通り、受け孔１３ａの軸線に平行である。
【００１８】
器具カバー３は、ランプソケット２のランプピン挿着部１３を露出する挿通部１５を有して器具本体１の前面（下面）側に取付けられている。この器具カバー３は器具本体１の下面の点灯回路部品を覆うためのもので、実施の形態では周縁部１６が傾斜して立ち上がった略皿形をなし、その周縁部１６が器具本体１の周縁部の付近に取付けられている。挿通部１５は周縁部１６に孔または切欠により形成され、挿通部１５の縁部はソケット取付面５に対して傾斜している。
【００１９】
ここで、ランプソケット２は固定部２４を有しており、係止片１１が器具本体１に係止した状態で挿通部１５の縁部に係合して係止片１１をソケット取付孔４から抜け止めする。実施の形態では固定部２４をランプソケット２の両側面の器具本体１の中心寄りの位置に突設し、固定部２４に器具カバー３の傾斜部分に当接する傾斜面２６を形成している。したがって、係止片１１が器具本体１の板厚方向に加わる力を水平な方向に分散して減らすことができる。具体的に、ランプソケット２より器具本体１に加わる力を見ると、ランプソケット２のランプピン挿着部１３に環形ランプ１４のランプピンを挿着するときは、その力により当接面９が器具本体１のソケット取付面５に押付けられる。ランプピンを外すときには、ソケット取付面５に平行な方向は固定部２４の傾斜面２６によりランプソケット２の移動が阻止されて抜止めされるとともに傾斜面２６が器具カバー３の挿通部１５に沿うのでランプソケット２を器具本体１に押しつける作用が生じる。ソケット取付面５に垂直な方向は係止片１１が器具本体１に係止するとともに固定部２４の傾斜面２６が挿通部１５の傾斜した縁部に係合する。このとき傾斜方向にランプソケット２が移動しても係止片１１がソケット取付孔４に係止する方向となる。
【００２０】
なお、図１の紙面に垂直な方向は挿通部１５の縁部に係止するため移動することができない。
【００２１】
固定部２４は挿通部１５の両側の縁部に係合するが、切欠状の挿通部１５の底縁部に係合する固定部２７も設けている。さらに、器具カバー３等の形状違いに対応するため、固定部２８をランプソケット２の両側面中央に設けている。
【００２２】
この照明器具のランプソケット２の取付けは、取付部１２をソケット取付孔４に挿入し、当接面９をソケット取付面５に沿ってスライドして係止片１１を器具本体１に係合し、器具カバー３を器具本体１に取付けて挿通部１５の縁部で固定部２４を押える。これにより、ランプソケット２を小さな操作力でワンタッチで取付けることができる。そして図８（ｂ）に示すように係止片１１がソケット取付孔４の器具中心側の縁部４ａに係合するため、ランプソケット２をより強度のある部分で支えることができる。
【００２３】
環形ランプ１４は異径の一対の蛍光ランプを一平面上で同心状に配置し口金部３４で一体に組み合わせたものである。口金部３４のランプピン（図示せず）をランプピン挿着部１３に挿着、すなわちランプピンを各受け孔１３ａ内に挿入し内部の受金に接触する。これと同時にランプソケット２がランプ支持ばね２２に抱持される。環形ランプ１４の直径方向の口金部３４と反対側も器具本体１に設けたランプ保持ばね（図示せず）で保持される。
【００２４】
この発明の第２の実施の形態を図９により説明する。すなわち、この照明器具は、ランプソケット２のランプピン挿着部１３が器具本体１のソケット取付面５に対して略４５°傾斜し、しかもランプソケット２は１個の環形ランプ１４を装着する構成である。このため、環形ランプ１４の取り外しも傾斜方向となるが、固定部２４の傾斜面２６に垂直な方向に傾斜しているため、固定部２４の傾斜面２６を器具カバー３の挿通部１６の縁部で受けることができる。このため、固定部２４の角で受ける場合と比較して器具カバー３の部分的な変形を生じにくい。
【００２５】
この発明の第３の実施の形態を図１０により説明する。すなわち、第１の実施の形態にいて、器具本体１の外側のソケット取付孔４を切欠により形成している。これにより器具本体１の外形をより小さくすることが可能となる。
【００２６】
なお、器具カバー３に代えて他の別部材を用いることは可能である。
【図面の簡単な説明】
【００２７】
【図１】この発明の第１の実施の形態の照明器具の要部断面図である。
【図２】ランプソケットからずれた位置の要部断面図である。
【図３】照明器具の半断面側面図である。
【図４】ランプソケットの斜視図である。
【図５】ランプソケットの分解斜視図である。
【図６】（ａ）はランプソケットの正面図、（ｂ）は平面図、（ｃ）は底面図である。
【図７】（ａ）はランプソケットの背面図、（ｂ）は左側面図、（ｃ）は右側面図である。
【図８】（ａ）は取付部とソケット取付孔との関係を説明する説明図、（ｂ）は器具本体の概略平面図である。
【図９】第２の実施の形態の照明器具の要部断面図である。
【図１０】第３の実施の形態の器具本体のソケット取付孔を示す概略平面図である。
【符号の説明】
【００２８】
１    器具本体
２    ランプソケット
３    器具カバー
４    ソケット取付孔
５    ソケット取付面
９    当接面
１０    立上り
１１    係止片
１２    取付部
１３    ランプピン挿着部
１４    環形ランプ
１５    挿通部
２４    固定部
２５    中心軸
２６    傾斜面
【図１】
2005243544.tif 000003
【図２】
2005243544.tif 000004
【図３】
2005243544.tif 000005
【図４】
2005243544.tif 000006
【図５】
2005243544.tif 000007
【図６】
2005243544.tif 000008
【図７】
2005243544.tif 000009
【図８】
2005243544.tif 000010
【図９】
2005243544.tif 000011
【図１０】
2005243544.tif 000012
【手続補正書】
【提出日】平成16年9月8日(2004.9.8)
【手続補正１】
【補正対象書類名】明細書
【補正対象項目名】００１７
【補正方法】変更
【補正の内容】
【００１７】
実施の形態のランプソケットは、図４および図５に示すように、一対の半体１８、１９を組み合わせてボディを形成している。半体１８に複数の連結用突部２３を形成し、半体１９に連結用突部２３を挿通する連結孔２０を形成し、連結孔２０に挿通して半体１９の外面に突出した連結用突部２３を熱かしめ等でかしめ固定している。そして半体１８、１９の切欠３１間にランプピン挿着部１３を挟持し、半体１８、１９の切欠３２間からリード線２０を引き出している。またランプピン挿着部１３の両側方でランプ支持ばね２１、２２の基端部を一対の半体１８、１９間に挟持している。また、取付部１２の係止片１１は半体１８に形成し、当接面９は半体１８、１９により形成している。この場合、取付部１２をソケット取付孔４に対応して一対形成するとともに、その間にランプピン挿着部１３の中心軸２５が位置し、かつ、器具本体１の中心よりも外側となる取付部１２の係止片１１がランプピン挿着部１３の中心軸２５上にある。中心軸２５はランプピン挿着部１３の挿着面の正方形をなすコーナ位置に配置された４つの受け孔１３ａ間の中心位置１３ｂを通り、受け孔１３ａの軸線に平行である。
【手続補正２】
【補正対象書類名】明細書
【補正対象項目名】００２４
【補正方法】変更
【補正の内容】
【００２４】
この発明の第２の実施の形態を図９により説明する。すなわち、この照明器具は、ランプソケット２のランプピン挿着部１３が器具本体１のソケット取付面５に対して略４５°傾斜し、しかもランプソケット２は１個の環形ランプ１４を装着する構成である。このため、環形ランプ１４の取り外しも傾斜方向となるが、固定部２４の傾斜面２６に垂直な方向に傾斜しているため、固定部２４の傾斜面２６を器具カバー３の挿通部１５の縁部で受けることができる。このため、固定部２４の角で受ける場合と比較して器具カバー３の部分的な変形を生じにくい。